(57)【要約】      （修正有）【課題】光ケーブルの皮剥きに適している光ケーブル溝切りツールを提供する。【解決手段】光ケーブル固定筒３０、回転リング４０及び光ケーブル溝切りカバー５０を含む光ケーブル溝切りツール１であって、光ケーブル固定筒は、光ケーブル２を固定するための固定部３１、ねじ部３２を含む。回転リングは、ねじ部に嵌設され、かつ該ねじ部上の当接位置と押出位置との間で回転可能に移動することができる。光ケーブル溝切りカバーは、カバー部５１及び溝切り部５２を含み、カバー部はねじ部に移動可能に嵌設される。光ケーブルは、該光ケーブル固定筒及び光ケーブル溝切りカバーに穿設され、回転リングが当接位置から押出位置に移動する場合、回転リングは光ケーブル溝切りカバーを押圧し、光ケーブル溝切りカバーの溝切り部に、光ケーブルの外層において光ケーブルの末端に向かう溝を切断させる。【選択図】図１
0003233231.tif 000002
【実用新案登録請求の範囲】
【請求項１】
光ケーブルの外層を切断するための光ケーブル溝切りツールであって、
中心孔を有し、該光ケーブルを固定するための固定部、ねじ部を含む光ケーブル固定筒と、
該光ケーブル固定筒の該ねじ部に嵌設され、かつ該ねじ部上の当接位置と押出位置との間で回転可能に移動する回転リングと、
中心孔を有し、カバー部及び溝切り部を含み、該カバー部が該ねじ部に移動可能に嵌設されている光ケーブル溝切りカバーと、を含み、
一部の該光ケーブルは、該光ケーブル固定筒の該中心孔及び該光ケーブル溝切りカバーの該中心孔に穿設され、該回転リングが該当接位置から該押出位置に移動する場合、該回転リングは該光ケーブル溝切りカバーを押圧し、該光ケーブル溝切りカバーの該溝切り部に、該光ケーブルの外層において該光ケーブルの末端に向かう溝を切断させることを特徴とする光ケーブル溝切りツール。
【請求項２】
該固定部は、ストッパと、該ストッパを連動させるストッパ連動部材とを含むことを特徴とする請求項１に記載の光ケーブル溝切りツール。
【請求項３】
該ストッパは、該光ケーブル固定筒の該中心孔に対向する側に設置されていることを特徴とする請求項２に記載の光ケーブル溝切りツール。
【請求項４】
該ストッパは、該ストッパ連動部材を駆動することにより、連動して該光ケーブル固定筒の該中心孔に向かって移動するか、又はそこから離れて移動することを特徴とする請求項２に記載の光ケーブル溝切りツール。
【請求項５】
該ストッパが該光ケーブル固定筒の該中心孔に向かって移動する場合、該ストッパは、該光ケーブルに接触して該光ケーブルを該光ケーブル固定筒の該固定部に固定することを特徴とする請求項４に記載の光ケーブル溝切りツール。
【請求項６】
該回転リングが該当接位置に位置している場合、該回転リングは該光ケーブル固定筒の該固定部に当接することを特徴とする請求項１に記載の光ケーブル溝切りツール。
【請求項７】
該回転リングが該押出位置に位置している場合、該回転リングは該ねじ部の該固定部から離れた側に位置することを特徴とする請求項１に記載の光ケーブル溝切りツール。
【請求項８】
該回転リングに、該回転リングを回転させるように駆動するための少なくとも１つのロッドが設置されていることを特徴とする請求項１に記載の光ケーブル溝切りツール。
【請求項９】
該光ケーブル溝切りカバーの該カバー部は、該回転リングに当接していることを特徴とする請求項１に記載の光ケーブル溝切りツール。
【請求項１０】
該光ケーブル溝切りカバーの該溝切り部は、少なくとも１つの溝切り部材と、少なくとも１つの溝切り連動部材を含み、該溝切り連動部材は該溝切り部材を連動させることを特徴とする請求項１に記載の光ケーブル溝切りツール。
【請求項１１】
該溝切り部材は、該ケーブル溝切りカバーの該中心孔に対向する側に設置されていることを特徴とする請求項１０に記載の光ケーブル溝切りツール。
【請求項１２】
該溝切り部材は、該溝切り連動部材を駆動することにより、連動して該光ケーブル溝切りカバーの該中心孔に向かって移動するか、又はそこから離れて移動することを特徴とする請求項１０に記載の光ケーブル溝切りツール。
【請求項１３】
該溝切り部材が該光ケーブル溝切りカバーの該中心孔に向かって移動する場合、該溝切り部材は該光ケーブルの外層に挿入されることを特徴とする請求項１２に記載の光ケーブル溝切りツール。
【請求項１４】
該溝切り部材は長さを有し、該光ケーブルの外層は厚さを有し、該長さは該厚さ以上であることを特徴とする請求項１０に記載の光ケーブル溝切りツール。
【請求項１５】
該当接位置は、該押出位置と比べて、該光ケーブルの末端により近接していることを特徴とする請求項１に記載の光ケーブル溝切りツール。
【請求項１６】
該光ケーブル固定筒の該ねじ部は少なくとも１つの位置決め溝を有し、該光ケーブル溝切りカバーの該カバー部は少なくとも１つのメイル・メンバを有し、該位置決め溝は該メイル・メンバに対応して設置されることを特徴とする請求項１に記載の光ケーブル溝切りツール。
【請求項１７】
該位置決め溝及び該メイル・メンバの形状は互いに対応し、該光ケーブル溝切りカバーは該メイル・メンバにより該位置決め溝に沿って該ねじ部を移動することを特徴とする請求項１６に記載の光ケーブル溝切りツール。
【請求項１８】
該位置決め溝は、該ねじ部の該光ケーブル固定筒の該中心孔に対する表面に位置することを特徴とする請求項１６に記載の光ケーブル溝切りツール。
【請求項１９】
該メイル・メンバは、該カバー部の該光ケーブル溝切りカバーの該中心孔に対向する表面に位置することを特徴とする請求項１６に記載の光ケーブル溝切りツール。
【請求項２０】
該位置決め溝は、該光ケーブルに平行な方向に沿って設置されていることを特徴とする請求項１６に記載の光ケーブル溝切りツール。
【考案の詳細な説明】
【技術分野】
【０００１】
本実用新案は、光ケーブル溝切りツールに関し、特に、光ケーブル突き合わせを行う際に、まず光ケーブルの外層を切断し、光ケーブルの外層を剥がすことができ剥がす、光ケーブルの配線及び突き合わせを容易にする光ケーブル溝切りツールを指す。
【背景技術】
【０００２】
インターネットの急速な発展に伴い、現代、情報伝送に対するニーズがますます高まっており、高度情報化社会の到来に直面するために、通信インフラストラクチャーを構築し、様々な情報、例えば音声、文字、データ、映像などを伝送する必要がある。従来使用されている銅ケーブルネットワークシステムは現在このような膨大な情報ニーズを満たすことができず、これに代えて光を利用して情報を伝送する光通信ネットワークが生じた。光通信ネットワークにおいて、一般的に光ファイバを光伝送の媒介とする。
【０００３】
光ファイバは低損失性及び広帯域性という２つの利点を有し、遠距離の各地点の間で情報伝送を行うことに適する他に、光ファイバコネクタにより異なる場所の間の光ケーブルを突き合わせることができ、拡張及びメンテナンスの利便性を向上させた。現在の情報伝送ニーズの高まりにより、光ケーブルのサイズ及び重量もそれに伴って増加し、そのため、如何に光ケーブルを効率的に配置して突き合わせるかは光ケーブル配線において考慮すべき重要な課題となっている。
【０００４】
光ケーブルを配置する過程において、まず光ケーブルを室内又は室外に予め設定された光ケーブル通路を通過させ、従来の配線方式では、一般的に光ケーブルの一端に直径が光ケーブルよりも大きい引っ張り装置を嵌設し、光ケーブルが引っ張り装置で他の場所に引っ張られることができるようにする。しかしながら、前述したように、光ケーブルのサイズの増加に伴い、光ケーブル通路を通過する困難度が必然的に高まり、水管に直径がほぼ同じ他の水管を通すように、光配線中にケーブルを破壊しやすいだけでなく、ケーブル通路を全然通過できない場合もある。
【０００５】
さらに、光ケーブル突き合わせを行う過程において、正確な突き合わせのニーズにより、内層の光ファイバの突き合わせを容易にするために、まず光ケーブルの外層を除去する必要がある。従来の光ケーブルの皮剥き技術では、光ケーブルの外層に切断線を予め埋設し、光ケーブルを皮剥きしようとするとき、切断線に沿って外層を引き離し、内層の光ファイバを露出させる。しかしながら、切断効果を達成するために、切断線は常に非常に細かくて設計され、作業者がある程度の力を施して初めて外層を切断できることも意味し、手間がかかるだけでなく、作業者が怪我したり、架線中に光ケーブルが破壊したりするのを回避するために、経験のある作業者が操作する必要がある。
【０００６】
以上から分かるように、従来技術に多くのボトルネックが存在し、本実用新案は上記欠点を克服し、現在の光ケーブルの皮剥きに適している光ケーブル溝切りツールを提供する。
【考案の概要】
【考案が解決しようとする課題】
【０００７】
本実用新案は、従来技術の切断線埋線皮剥き方式の代わりに、手間を節約する構成を用いるため、操作者が光ケーブルの外層の皮剥きを容易に行うことができ、経験の浅い作業者でも手軽に操作することができる光ケーブル溝切りツールを提供することを目的とする。
【０００８】
本実用新案は、光ケーブルの外層を切断するとともに、光ケーブルの位置を固定し、切断時に光ケーブルが力を受けて変位し、切断不良になって、光ケーブルが損傷するという問題を回避することができる光ケーブル溝切りツールを提供することをさらに他の目的とする。
【課題を解決するための手段】
【０００９】
上記目的に基づいて、本実用新案は、光ケーブルの外層を切断するための光ケーブル溝切りツールを提供し、光ケーブル溝切りツールは、光ケーブル固定筒、回転リング及び光ケーブル溝切りカバーを含む。該光ケーブル固定筒は、中心孔を有し、該光ケーブルを固定するための固定部、ねじ部を含む。該回転リングは、該光ケーブル固定筒の該ねじ部に嵌設され、かつ該ねじ部上の当接位置と押出位置との間で回転して移動する。該光ケーブル溝切りカバーは、中心孔を有し、カバー部及び溝切り部を含み、該カバー部が該ねじ部に移動可能に嵌設されている。一部の該光ケーブルは、該光ケーブル固定筒の該中心孔及び該光ケーブル溝切りカバーの該中心孔に穿設され、該回転リングが該当接位置から該押出位置に移動する場合、該回転リングは該光ケーブル溝切りカバーを押圧し、該光ケーブル溝切りカバーの該溝切り部に、該光ケーブルの外層において該光ケーブルの末端に向かう溝を切断させる。
【００１０】
本実用新案の一実施例において、該固定部は、ストッパと、該ストッパを連動させるストッパ連動部材と、を含む。該ストッパは、該光ケーブル固定筒の該中心孔に対向する側に設置されている。該ストッパは、該ストッパ連動部材を駆動することにより、連動して該光ケーブル固定筒の該中心孔に向かって移動するか、又はそこから離れて移動する。該ストッパが該光ケーブル固定筒の該中心孔に向かって移動する場合、該ストッパは、該光ケーブルに接触して該光ケーブルを該光ケーブル固定筒の該固定部に固定する。
【００１１】
本実用新案の一実施例において、該回転リングが該当接位置に位置している場合、該回転リングは該光ケーブル固定筒の該固定部に当接する。該回転リングが該押出位置に位置している場合、該回転リングは該ねじ部の該固定部から離れた側に位置する。
【００１２】
本実用新案の一実施例において、該回転リングに、該回転リングを回転させるように駆動するための少なくとも１つのロッドが設置されている。
【００１３】
本実用新案の一実施例において、該光ケーブル溝切りカバーの該カバー部は、該回転リングに当接している。
【００１４】
本実用新案の一実施例において、該光ケーブル溝切りカバーの該溝切り部は、少なくとも１つの溝切り部材と、少なくとも１つの溝切り連動部材を含み、該溝切り連動部材は該溝切り部材を連動させる。該溝切り部材は、該ケーブル溝切りカバーの該中心孔に対向する側に設置されている。該溝切り部材は、該溝切り連動部材を駆動することにより、連動して該光ケーブル溝切りカバーの該中心孔に向かって移動するか、又はそこから離れて移動する。該溝切り部材が該光ケーブル溝切りカバーの該中心孔に向かって移動する場合、該溝切り部材は該光ケーブルの外層に挿入される。また、該溝切り部材は長さを有し、該光ケーブルの外層は厚さを有し、該長さは該厚さ以上である。
【００１５】
本実用新案の一実施例において、該当接位置は、該押出位置と比べて、該光ケーブルの末端により近接している。
【００１６】
本実用新案の一実施例において、該光ケーブル固定筒の該ねじ部は少なくとも１つの位置決め溝を有し、該光ケーブル溝切りカバーの該カバー部は少なくとも１つのメイル・メンバを有し、該位置決め溝は該メイル・メンバに対応して設置される。該位置決め溝及び該メイル・メンバの形状は互いに対応し、該光ケーブル溝切りカバーは該メイル・メンバにより該位置決め溝に沿って該ねじ部を移動する。また、該位置決め溝は、該ねじ部の該光ケーブル固定筒の該中心孔に対する表面に位置する。かつ、該メイル・メンバは、該カバー部の該光ケーブル溝切りカバーの該中心孔に対向する表面に位置する。さらに、該位置決め溝は、該光ケーブルに平行な方向に沿って設置される。
【００１７】
以上のようにして、本実用新案に係る光ケーブル溝切りツールにおいて、光ケーブルの位置を固定するための光ケーブル固定筒を備え、光ケーブルを切断するときに力を受けても、光ケーブルの変位による切断不良や破損を引き起こすことがないようにする。同時に、回転リングがねじ山で回転して前進する方式で光ケーブル溝切りカバーを押圧し、光ケーブルを切断するときの力を大幅に低下させる。溝切り部材が光ケーブル溝切りカバー内の光ケーブルに対向する側に設置されるため、使用者が操作する過程で溝切り部材に接触することがなく、使用者が不用意に操作して怪我するリスクを減少させることができる。また、光ケーブル固定筒と光ケーブル溝切りカバーの間に位置決め溝及びメイル・メンバが互いに設置されているため、両者の間の位置決め・取り付けを容易にする他に、光ケーブル溝切りカバーは、回転リングによって押圧された時に位置決め溝のガイドに沿って移動して切断することができ、切断経路をより正確にする。
【図面の簡単な説明】
【００１８】
【図１】本実用新案に係る光ケーブル溝切りツールの一実施例の分解概略構造図である。
【図２】本実用新案に係る光ケーブル溝切りツールの一実施例における回転リングが当接位置に位置している場合の組み合わせ概略構造図である。
【図３】本実用新案に係る光ケーブル溝切りツールの一実施例における回転リングが押出位置に位置している場合の組み合わせ概略構造図である。
【図４】本実用新案に係る光ケーブル溝切りツールの一実施例の正面概略構造図である。
【図５】本実用新案に係る光ケーブル溝切りツールの一実施例の断面概略構造図である。
【図６】本実用新案に係る光ケーブル溝切りツールの一実施例における、光ケーブルが光ケーブルにより溝を切断した後の態様概略図である。
【図７】本実用新案に係る光ケーブル溝切りツールの一実施例の一部構造の概略斜視図である。
【符号の説明】
【００１９】
１    光ケーブル溝切りツール；２    光ケーブル；２０    溝切り；３０    光ケーブル固定筒；３０１    中心孔；３１    固定部；３１２    ストッパ；３１４    ストッパ連動部材；３２    ねじ部；３２２    位置決め溝；４０    回転リング；４０１    ロッド部材；５０    光ケーブル溝切りカバー；５０１    中心孔；５１    カバー部；５１２    メイル・メンバ；５２    溝切り部；５２２    溝切り部材；５２４    溝切り連動部材
【考案を実施するための形態】
【００２０】
本実用新案の利点及び主旨について、以下の詳細な説明及び図面によりさらに理解することができる。本実用新案の実施例の構造及び使用の詳細な説明は以下のとおりである。本実用新案は多くの応用可能な革新的概念を提供したが、特定の背景技術の基で、広く実施することができることを理解されたい。この特定の実施例は、本実用新案を製造及び使用するために、特定の形態のみで表示されるが、本実用新案の範囲を限定するものではない。
【００２１】
まず、本実用新案の光ケーブル溝切りツールの構造を説明し、同時に図１及び図２を参照してください。図１は本実用新案の光ケーブル溝切りツールの一実施例の分解概略構造図である。図２は本実用新案の光ケーブル溝切りツールの一実施例における回転リングが当接位置に位置している場合の組み合わせ概略構造図である。光ケーブル溝切りツール１は光ケーブル２の外層を切断し、光ケーブル２に平行な方向に沿って、光ケーブル２の外層に光ケーブル２の末端までの溝切りを形成し、これにより後で光ケーブル２の外層の皮剥きを容易にする。光ケーブル溝切りツール１は、光ケーブル固定筒３０、回転リング４０及び光ケーブル溝切りカバー５０を含む。光ケーブル固定筒３０は、固定部３１及びねじ部３２を含む。回転リング４０は光ケーブル固定筒３０のねじ部３２に嵌設され、かつねじ部を回転可能に移動する。光ケーブル溝切りカバー５０は、カバー部５１及び溝切り部５２を含み、カバー部は光ケーブル固定筒３０のねじ部３２に移動可能に嵌設される。
【００２２】
次に、光ケーブルを光ケーブル溝切りツールに設置して溝切りを行う過程及び構造について説明し、図１及び図２を引き続き参照し、かつ図３を組み合わせて参照してください。図３は、本実用新案に係る光ケーブル溝切りツールの一実施例における回転リングが押出位置に位置している場合の組み合わせ概略構造図である。光ケーブル２の溝切りをしようとするとき、一部の光ケーブル２は光ケーブル固定筒３０の中心孔３０１、及び光ケーブル溝切りカバー５０の中心孔５０１に穿設され、回転リング４０をねじ部３２で回転して移動させる場合、回転リング４０は光ケーブル溝切りカバー５０を押圧し、光ケーブル溝切りカバー５０の溝切り部５２に、光ケーブル２の外層において光ケーブル２の末端に向かう溝を切断させる。
【００２３】
より詳細には、回転リング４０は、ねじ部３２上の当接位置と押出位置との間で移動し、回転リング４０がねじ部３２の当接位置に位置している場合、回転リング４０は光ケーブル固定筒３０の固定部３１（図２に示すように）に当接し、回転リング４０が押出位置に位置している場合、回転リング４０はねじ部３２の固定部３１から離れた側（図３に示すように）に位置する。すなわち、当接位置は、該押出位置と比べて、光ケーブル２の末端により近い。光ケーブル溝切りカバー５０のカバー部５１は回転リング４０に当接しているため、回転リング４０が回転して当接位置から押出位置に移動する場合、光ケーブル溝切りカバー５０は回転リング４０によって押圧されて、光ケーブル２の末端に向かって移動するように駆動される。
【００２４】
光ケーブルは光ケーブル固定筒及び光ケーブル溝切りカバーを通過した後、まず光ケーブルの位置を固定する必要がある。以下、光ケーブルを固定する過程及び対応する構造をさらに説明し、図４を参照してください。図４は本実用新案に係る光ケーブル溝切りツールの一実施例の正面概略構造図である。光ケーブル２の位置は、光ケーブル固定筒３０の固定部３１により事前に固定される。光ケーブル固定筒３０の固定部３１は、ストッパ３１２及びストッパ連動部材３１４を含み、ストッパ連動部材３１４はストッパ３１２を連動させる。ストッパ３１４は、光ケーブル固定筒３０の中心孔３０１に対向する側に設置され、換言すれば、光ケーブル２が光ケーブル固定筒３０の中心孔３０１を貫通した後、ストッパ３１２は光ケーブル２に対向するが、ストッパ連動部材３１４は、中心孔３０１に向かって移動するか、又はそこから離れて移動するようにストッパ３１２を駆動し、すなわち、ストッパ３１２は、ストッパ連動部材３１４の駆動により、光ケーブル２の外層に向かって移動するか、又はそこから離れて移動することができる。ストッパ３１２が光ケーブル固定筒３０の中心孔３０１に向かって移動する場合、ストッパ３１２は、光ケーブル２の外層に接触し、光ケーブル２の位置を制限することにより、光ケーブル２を光ケーブル固定筒３０の固定部３１に固定する。なお、図４において、ストッパ及びストッパ連動部材の数はいずれも２であるが、本実用新案はストッパ及びストッパ連動部材の数を制限せず、光ケーブルを固定するという効果を達成できる任意の数はいずれも本実用新案の範囲を超えていない。
【００２５】
光ケーブルの切断は、主に光ケーブル溝切りカバーを押圧することにより実行され、以下、図５を参照し、光ケーブルを切断する過程及び対応する構造を具体的に説明する。図５は、本実用新案に係る光ケーブル溝切りツールの一実施例の断面概略構造図である。図５において、光ケーブルはケーブル溝切りツール内に完全に装着され、かつ溝切られることに備え、そのため、光ケーブルは光ケーブル固定筒及び光ケーブル溝切りカバーの中心孔内に穿設され、図５において光ケーブル固定筒及び光ケーブル溝切りカバーの中心孔の位置を示さない。ケーブル溝切りカバー５０の溝切り部は、少なくとも１つの溝切り部材５２２と、溝切り部材５２２を連動させる少なくとも１つの溝切り連動部材５２４と、を含み、溝切り部材５２２は、光ケーブル溝切りカバー５０の中心孔に対向する側に設置され、換言すれば、光ケーブル２の末端が光ケーブル溝切りカバー５０の中心孔に貫入した後、溝切り部材５２２は光ケーブル２に対向するが、溝切り連動部材５２４を駆動する場合、溝切り部材が中心孔に向かって移動するか、又はそこから離れて移動し、すなわち、溝切断部材５２２は、溝切り連動部材５２４の駆動により光ケーブル２の外層に向かって移動するか、又はそこから離れて移動することができる。溝切り部材５２２が光ケーブル溝切りカバー５０の中心孔５０１に向かって移動する場合、溝切り部材５２２が光ケーブル２の外層に挿入され、このようにして、光ケーブル溝切りカバー５０が回転リング４０により押圧されるとき、溝切り部材５２２は光ケーブル２の外層に切断線又は溝を形成し、光ケーブル２が図６に示すような模様を形成するようにする。図６は、本実用新案に係る光ケーブル溝切りツールの実施例における、光ケーブルが光ケーブルにより溝を切断した後の態様概略図であり、光ケーブル２の末端に２本の溝２０が形成されている。当然のことながら、図６における溝の数は例示に過ぎず、溝の数は溝切り部材の数により決定される。
【００２６】
図５を引き続き参照すると、光ケーブル溝切りカバーを押圧する過程をより省力化するために、回転リング４０に少なくとも１つのロッド４０１を設置することができ、ロッド４０１は回転リング４０を駆動して回転リング４０を回転させることができる。ロッド４０１の回転方向は、時計回り又は反時計回りであってもよく、本実用新案はその回転方向を制限せず、回転リング４０を回転させてねじ部３２を移動させるように駆動することができればよい。
【００２７】
それ以外に、本実用新案の一実施例において、光ケーブル溝切りカバーと光ケーブル固定筒との間に、上記２つの部材を互いに位置決めする構造をさらに備える。図７を参照して、図７は、本実用新案に係る光ケーブル溝切りツールの一実施例の一部の構造の概略斜視図である。光ケーブル固定筒３０のねじ部３２は少なくとも１つの位置決め溝３２２を有し、光ケーブル溝切りカバー５０のカバー部５１は少なくとも１つのメイル・メンバ５１２を有し、位置決め溝３２２はメイル・メンバ５１２と対応して設置され、かつ位置決め溝３２２及びメイル・メンバ５１２の形状は互いに対応する。光ケーブル溝切りカバー５０のメイル・メンバ５１２と光ケーブル固定筒３０の位置決め溝３２２を合わせることにより、光ケーブル溝切りカバー５０は、光ケーブル固定筒３０のねじ部３２に嵌着され、かつ光ケーブル溝切りカバー５０は、メイル・メンバ５１２により位置決め溝３２２に沿ってねじ部３２を移動することができる。詳細には、位置決め溝３２２は、ねじ部３２の外表面に位置し、すなわち、光ケーブル固定筒３０の中心孔に対する表面に位置する。メイル・メンバは、カバー部５１２の内表面に位置し、すなわち、光ケーブル溝切りカバー５０の中心孔に対向する表面に位置する。位置決め溝３２２は、光ケーブルに平行な方向に沿って設置される。これにより、光ケーブル溝切りカバー５０が回転リング４０により押圧されると、位置決め溝３２２の方向に沿って、光ケーブルに平行に、末端に向かって移動する。
【００２８】
本考案の前記実施例において、溝切り部材は長さを有し、光ケーブルの外層は厚さを有し、かつ溝切り部材の長さは光ケーブルの外層の厚さ（図示せず）以上である。この設計の目的は、光ケーブルの外層を剥がすことを本発明の実用新案の主旨とすることである。したがって、外層を完全に剥がすことができるように、溝切り部材の長さを少なくとも光ケーブルの外層と等しいように設計する必要がある。本考案の前記実施例において、溝切り部材の機能は、光ケーブルの外層を切断することであり、本実施例ではブレードを例として説明するが、しかしながら、本考案は部材及びその形態の選択を制限せず、光ケーブルの外層を切断できる様々な形態の部材であれば、いずれも本考案の保護範囲である。
【００２９】
以上により、本実用新案は、光ケーブルをその中に穿設して溝切りを行うための光ケーブル溝切りツールを開示する。まず、光ケーブル固定筒の固定部を利用して光ケーブルを固定した位置に限定し、次に、回転リングを光ケーブル固定筒のねじ部から光ケーブルの末端に近接する位置まで回転して移動させ、このとき、光ケーブル溝切りカバーが回転リングによって押圧され、光ケーブル溝切りカバー内の溝切りが押圧されて光ケーブルの外層を切断する。
【００３０】
上記から分かるように、本実用新案の光ケーブル溝切りツールは以下の利点を有する。
一、固定部のストッパ及びストッパ連動部材の協同により、光ケーブルを固定する効果を達成するだけでなく、位置決めの範囲を調整して様々なサイズの光ケーブルを収容することもできる。
二、ねじ部に回転リングを設置し、回転により光ケーブル溝切りカバーを駆動し、回転ロッドの設計を加えてモーメントアームを長くすることにより、必要な付勢を大幅に減少させるだけでなく、使用上の操作が簡単であり、初心者であっても手軽に操作することができる。
三、溝切り部材が光ケーブル溝切りカバーの内部に設置されるため、外部から溝切り部材に全く接触せず、従来技術における作業者の怪我のリスクを減少させ、使用上の安全性を向上させる。
四、本考案の光ケーブル溝切りツールは手持ち式であり、使用後にストッパをリセットすれば取り外し可能であり、身につけて携帯するだけでなく、脱着過程において大量の時間を費やす必要がない。
前述したように、本実用新案の光ケーブル溝切りツールは本実用新案の目的を確実に達成することができる。
【００３１】
本実用新案に開示された技術内容は、上記実施例に限定されておらず、本実用新案に開示された実用新案の概念及び原則と同じであるものは、いずれも本考案の実用新案登録請求の範囲に含まれる。なお、本実用新案に記載の部材の方向、例えば「上」、「下」、「上方」、「下方」、「水平」、「垂直」、「左」、「右」などは、絶対的な位置及び／又は方向を示すものではない。部材の定義、例えば「第１」及び「第２」は、限定するための文字ではなく、区別するための用語である。本考案において使用された「含む」又は「含有」は、「含む」及び「有する」という概念をカバーし、かつ部材、操作ステップ及び／又はそれらの組み合わせを示し、排除又は増加の意味を表すものではない。また、特に説明しない限り、操作のステップ順序は絶対順序を代表しない。より、特に説明しない限り、単一の形式で要素に言及する（例えば冠詞「一」又は「一つ」を使用する）場合、「「１つかつ１つのみ」」ではなく「一つ又は複数」である。本願で使用される「及び／又は」は「及び」又は「又は」、及び「及び」及び「又は」を指す。本考案で使用される範囲関連の用語は全部及び／又は範囲限定を含み、例えば「少なくとも」、「より大きい」、「より小さい」、「超えない」等は、範囲の上限又は下限を指す。
【００３２】
以上の説明は本実用新案の新規性にとって限定的なものではなく、説明的なものであり、当業者であれば、請求項に限定された主旨及び範囲から逸脱することなく、多くの修正、変更又は等価置換を行うことができるが、いずれも本実用新案の保護範囲内に含まれることを理解されたい。
【図１】
0003233231.tif 000003
【図２】
0003233231.tif 000004
【図３】
0003233231.tif 000005
【図４】
0003233231.tif 000006
【図５】
0003233231.tif 000007
【図６】
0003233231.tif 000008
【図７】
0003233231.tif 000009